(57)【特許請求の範囲】
【請求項１】
ミシン目が形成された用紙においてミシン目を含む領域を撓ませる撓ませ手段と、
切断部材と、
前記領域へ向けて前記切断部材を相対的に移動させる移動手段と、
前記領域の撓み具合を検知する検知手段と、
前記移動手段による前記切断部材の相対移動に先立って、前記検知手段による検知結果に基づいて前記領域の撓み具合を調整する調整手段とを含む、用紙切断機構。
【請求項２】
前記切断部材は、第１切断部材と、前記第１切断部材よりも刃先が鋭い第２切断部材とを含み、
前記切断部材を前記第１切断部材と前記第２切断部材とに切り替える切替手段を含む、請求項１に記載の用紙切断機構。
【請求項３】
前記切断部材の刃先は、前記切断部材の刃渡り方向に沿って当該刃先の位置が変わるように傾いている、請求項１または２に記載の用紙切断機構。
【請求項４】
請求項１〜３のいずれか一項に記載の用紙切断機構と、
切断される用紙の種類を特定する特定手段と、
前記特定手段によって種類が特定された用紙が、ミシン目が形成された用紙である場合には、当該用紙においてミシン目を含む領域を前記撓ませ手段によって撓ませた状態で、前記移動手段によって前記領域へ向けて前記切断部材を相対的に移動させる制御手段とを含む、用紙処理ユニット。
【請求項５】
前記切断部材によって切断された用紙の一部を回収する回収手段と、
当該用紙において当該一部以外の部分を排出する排出手段とを含む、請求項４に記載の用紙処理ユニット。
【請求項６】
請求項４または５に記載の用紙処理ユニットと、
前記用紙に関する取引を利用者との間で行う取引ユニットとを含む、取引装置。
【請求項７】
ミシン目が形成された用紙を、当該ミシン目を含む領域で撓ませる工程と、
前記領域の撓み具合を検知する検知工程と、
前記検知工程での検知結果に基づいて前記領域の撓み具合を調整する工程と、
前記領域へ向けて切断部材を相対的に移動させて用紙を切断する工程とを含む、用紙切断方法。
【発明の詳細な説明】
【技術分野】
【０００１】
この発明は、用紙切断機構と、用紙切断機構を含む用紙処理ユニットと、用紙処理ユニットを含む取引装置と、用紙切断方法とに関する。
【背景技術】
【０００２】
下記特許文献１では、銀行等の金融機関に設置され、税金や公共料金等の払込取引を自動的に行う自動取引装置が提案されている。自動取引装置の装置本体には、帳票類処理部が内装され、挿入口と返却口とが開口されている。帳票類処理部の内部には、搬送路が形成され、スタンプとロータリーカッタとが搬送路に沿って配置されている。自動取引装置で取り扱われる帳票類である払込票には、ミシン目による切取線が施されている。自動取引装置では、払込票が挿入口に挿入された後に正常な払込み処理が行われると、払込票にスタンプによる押印がなされ、当該払込票は、切取線の位置でロータリーカッタによって切断され、領収証と、それ以外の部分とに分離される。領収書は、返却口へ排出され、払込票において領収証以外の部分は、装置本体内における収納部へ回収される。
【先行技術文献】
【特許文献】
【０００３】
【特許文献１】特許第３８３０６２６号公報
【発明の概要】
【発明が解決しようとする課題】
【０００４】
同じ種類の用紙であっても、誤差によって、ミシン目の位置が異なる場合がある。また、自動取引装置には、用紙の搬送誤差や、センサによる位置検知の誤差が存在する。そのため、特許文献１の自動取引装置において、用紙の切断に先立って、ロータリーカッタの刃先を用紙のミシン目に一致する位置へと正確に位置決めすることは難しい。これらの原因によって、ロータリーカッタの刃先と用紙のミシン目とに数ｍｍ程度の若干のずれが生じ、ミシン目からずれた位置で用紙が切断される虞がある。
【０００５】
ミシン目からずれた位置で切断された用紙のうち客等の利用者に返却される部分にミシン目が含まれていなければ、当該部分は必要以上に小さくなっているので、たとえば押印された部分等が欠けていることがある。逆に、当該部分にミシン目が含まれていれば、見栄えが悪い。また、切断された用紙のうちミシン目が含まれている部分が搬送路で搬送される場合、この部分が搬送途中にミシン目において勝手にちぎれて細い紙片を発生させ、この紙片によって、搬送路における紙詰りやセンサの誤作動等の不具合が生じる虞がある。
【０００６】
この発明は、かかる背景のもとでなされたもので、ミシン目が形成された用紙をミシン目において正確に切断できる用紙切断機構、用紙切断機構を含む用紙処理ユニット、用紙処理ユニットを含む取引装置および用紙切断方法を提供することを目的とする。
【課題を解決するための手段】
【０００７】
本発明は、ミシン目が形成された用紙においてミシン目を含む領域を撓ませる撓ませ手段と、切断部材と、前記領域へ向けて前記切断部材を相対的に移動させる移動手段とを含む、用紙切断機構である。
【０００８】
また、本発明は、前記領域の撓み具合を検知する検知手段と、前記移動手段による前記切断部材の相対移動に先立って、前記検知手段による検知結果に基づいて前記領域の撓み具合を調整する調整手段とを含むことを特徴とする。
【０００９】
また、本発明は、前記切断部材は、第１切断部材と、前記第１切断部材よりも刃先が鋭い第２切断部材とを含み、前記切断部材を前記第１切断部材と前記第２切断部材とに切り替える切替手段を含むことを特徴とする。
【００１０】
また、本発明は、前記切断部材の刃先は、前記切断部材の刃渡り方向に沿って当該刃先の位置が変わるように傾いていることを特徴とする。
【００１１】
また、本発明は、前記用紙切断機構と、切断される用紙の種類を特定する特定手段と、前記特定手段によって種類が特定された用紙が、ミシン目が形成された用紙である場合には、当該用紙においてミシン目を含む領域を前記撓ませ手段によって撓ませた状態で、前記移動手段によって前記領域へ向けて前記切断部材を相対的に移動させる制御手段とを含む、用紙処理ユニットである。
【００１２】
また、本発明は、前記切断部材によって切断された用紙の一部を回収する回収手段と、当該用紙において当該一部以外の部分を排出する排出手段とを含むことを特徴とする。
【００１３】
また、本発明は、前記用紙処理ユニットと、前記用紙に関する取引を利用者との間で行う取引ユニットとを含む、取引装置である。また、本発明は、ミシン目が形成された用紙を、当該ミシン目を含む領域で撓ませる工程と、前記領域へ向けて切断部材を相対的に移動させて用紙を切断する工程とを含む、用紙切断方法である。
【発明の効果】
【００１４】
本発明によれば、用紙切断機構では、撓ませ手段が、ミシン目が形成された用紙においてミシン目を含む領域を撓ませる。これによって、当該領域は、ミシン目で尖るようにＶ字形状に撓む。この状態で、移動手段が当該領域へ向けて切断部材を相対的に移動させることによって、切断部材の刃先は、Ｖ字形状に撓んだ当該領域の斜面によってミシン目へ向けてガイドされるので、用紙をミシン目において正確に切断できる。
【００１５】
また、本発明によれば、検知手段は、用紙においてミシン目を含む領域の撓み具合を検知し、移動手段による切断部材の相対移動に先立って、調整手段が、検知手段による検知結果に基づいて当該領域の撓み具合を調整する。これにより、当該領域は、切断部材の刃先をミシン目へ向けてガイドできるような最適なＶ字形状で撓む。そのため、切断部材の刃先は、当該領域の斜面によってミシン目へ向けて確実にガイドされるので、用紙をミシン目において正確に切断できる。
【００１６】
また、本発明によれば、切替手段が、切断部材を、第１切断部材と、第１切断部材よりも刃先が鋭い第２切断部材とに切り替えるので、第１切断部材では切断できない用紙であっても、刃先が鋭い第２切断部材によって確実に切断することができる。
【００１７】
また、本発明によれば、切断部材の刃先は、切断部材の刃渡り方向に沿って当該刃先の位置が変わるように傾いているので、用紙では、切断部材の刃渡り方向におけるいずれかの位置を始点として切断が開始される。これにより、用紙を、破くことなく、ミシン目において正確に切断できる。
【００１８】
また、本発明によれば、以上の用紙切断機構を含む用紙処理ユニットでは、ミシン目が形成された用紙をミシン目において正確に切断できる。
【００１９】
また、本発明によれば、用紙処理ユニットでは、切断部材によって切断された用紙の一部を回収手段によって回収し、当該用紙において当該一部以外の部分を排出手段によって排出して利用者に返却することができる。
【００２０】
また、本発明によれば、以上の用紙処理ユニットを含む取引装置や、以上に説明した用紙切断方法では、ミシン目が形成された用紙をミシン目において正確に切断できる。
【図面の簡単な説明】
【００２１】
【図１】図１は、この発明の一実施形態に係る取引装置で取り扱われる用紙の一例を示す模式図である。
【図２】図２は、押印された状態の用紙を示す模式図である。
【図３】図３は、押印後にミシン目で切断された状態の用紙を示す模式図である。
【図４】図４は、この発明の一実施形態に係る取引装置の模式的な正面図である。
【図５】図５は、取引装置の内部構造を示す模式図である。
【図６】図６は、取引装置の電気的構成を示すブロック図である。
【図７】図７は、取引装置における用紙切断機構を示す模式図である。
【図８】図８は、用紙切断機構における切断部材を示す模式図である。
【図９】図９は、用紙切断機構において用紙をミシン目で切断する動作を説明するための模式図である。
【図１０】図１０は、用紙切断機構を示す模式図である。
【図１１】図１１は、変形例に係る用紙切断機構を示す模式図である。
【図１２】図１２は、別の変形例に係る用紙切断機構における切断部材を示す模式図である。
【図１３】図１３は、図１２の用紙切断機構の動作を説明するための模式図である。
【図１４】図１４は、さらに別の変形例に係る用紙切断機構の動作を説明するための模式図である。
【図１５】図１５は、取引装置に追加される押さえ部材の役割を説明するための模式図である。
【図１６】図１６は、用紙切断機構が搭載された入場ゲート装置を示す模式図である。
【発明を実施するための形態】
【００２２】
以下には、図面を参照して、この発明の実施形態について具体的に説明する。図１は、この発明の一実施形態に係る取引装置１（後述する図４参照）で取り扱われる用紙Ｈの一例を示す模式図である。この実施形態における取引装置１は、銀行等の金融機関に設置され、公共料金等（以下では「料金」と略称する）の払込取引を自動的に行う自動取引装置である。この場合の取引装置１で取り扱われる用紙Ｈは、図１に示すような納付書、いわゆる振込用紙である。振込用紙である場合の用紙Ｈは、料金を支払うべき利用者に届けられた後に、料金の支払いのために利用者によって金融機関に持ち込まれる。
【００２３】
振込用紙である場合の用紙Ｈの全体は、たとえば長方形状に形成されている。用紙Ｈでは、第１部分Ｈ１と第２部分Ｈ２と第３部分Ｈ３とが、用紙Ｈの長手方向ＬＤにおいて、この順番で並んで配置されている。一例として、第１部分Ｈ１は、支払完了後に料金納付先に送られる払込通知票であり、第２部分Ｈ２は、支払完了後に金融機関等に保管される領収控であり、第３部分Ｈ３は、支払完了後に利用者に返却される領収証である。第１部分Ｈ１、第２部分Ｈ２および第３部分Ｈ３のそれぞれには、それぞれのタイトルＴと、支払うべき請求額等の必要な情報Ｊと、領収印Ｓ（後述する図２参照）が押印される矩形枠状の押印欄Ｒとが予め印刷されている。
【００２４】
利用者に届いた時点における用紙Ｈは、図１に示すように、第１部分Ｈ１と第２部分Ｈ２と第３部分Ｈ３とが一体化された状態にある。用紙Ｈには、第１部分Ｈ１と第２部分Ｈ２との境界線Ｌ１（１点鎖線参照）と、第２部分Ｈ２と第３部分Ｈ３との境界線Ｌ２（破線参照）とが設けられている。境界線Ｌ１および境界線Ｌ２のそれぞれは、用紙Ｈにおいて長手方向ＬＤと直交する短手方向ＳＤに沿って直線状に延びており、用紙Ｈにおける一対の長辺の間に架設されている。境界線Ｌ１および境界線Ｌ２は、用紙Ｈに予め印刷された直線である。この実施形態では、境界線Ｌ２には、短手方向ＳＤに沿って境界線Ｌ２上を直線状に延びるミシン目Ｍが形成されている。第２部分Ｈ２および第３部分Ｈ３のそれぞれにおいて境界線Ｌ２に隣接する部分は、用紙Ｈにおいてミシン目Ｍが形成された領域Ｈ４である。
【００２５】
利用者が用紙Ｈを金融機関の有人の窓口に持ち込んだ場合、窓口の係員は、用紙Ｈに印刷された情報Ｊから、利用者が支払うべき料金の請求額を当該利用者に伝える。利用者が請求額分の現金を支払ったり、請求額を当該利用者の口座から引き落とす手続きをしたり等によって、請求額について決済すると、係員は、図２に示すように、用紙Ｈにおける各押印欄Ｒ内に領収印Ｓを押す。その後、係員は、たとえば、境界線Ｌ２のミシン目Ｍの両側に片手をひとつずつ添えて両手を互いに離れるように動かすと、用紙Ｈが、ミシン目Ｍにおいて切断されて、図３に示すように、第１部分Ｈ１および第２部分Ｈ２のまとまりと第３部分Ｈ３とに分離される。
【００２６】
係員が第３部分Ｈ３を利用者に手渡すと、利用者と係員との間における払込取引は完了する。第１部分Ｈ１および第２部分Ｈ２は、金融機関によって一旦回収され、その後、第１部分Ｈ１と第２部分Ｈ２とに分離されてから、それぞれの送り先に送られる。なお、第１部分Ｈ１と第２部分Ｈ２と分離する際には、境界線Ｌ１をハサミ等で切断してもよいし、予め境界線Ｌ１にミシン目Ｍを設けておいて、境界線Ｌ２と同様の手順で第１部分Ｈ１と第２部分Ｈ２とをミシン目Ｍにおいて分離してもよい。
【００２７】
先ほどの説明において用紙Ｈに関して利用者と係員との間で行われた払込取引は、取引装置１によって、利用者との間で自動で行われることが可能である。図４は、取引装置１の模式的な正面図である。図４を参照して、取引装置１は、縦長のボックス形状の装置本体２を備えている。
【００２８】
装置本体２における正面側の側面である前面３の上側部分には、たとえばタッチパネル付きの液晶モニターで構成された表示操作部４が設けられ、表示操作部４の右隣には、左右に細長いスリット状に形成されたレシート発行口５およびカード出入口６が上下に並んで設けられている。前面３において表示操作部４よりも下側には、左右に細長いスリット状に形成された挿入口７および返却口８が上下に並んで設けられ、挿入口７および返却口８の右隣には、入力部９が設けられている。入力部９は、前面３から前側に突出した板状に形成され、その上面には、テンキーを含む操作キー１０が設けられている。前面３において挿入口７および返却口８よりも下側には、略矩形状に形成された現金出入口１１と、現金出入口１１を開閉するシャッター１２とが設けられている。なお、表示操作部４、レシート発行口５、カード出入口６、挿入口７、返却口８、入力部９および現金出入口１１のそれぞれの位置は、利用者にとってアクセスしやすいのであれば、任意に変更できる。また、現金出入口１１は、紙幣用と硬貨用とで分かれていてもよいし、入金用と出金用とで分かれていてもよい。
【００２９】
取引装置１において利用者との間で行われる払込取引の概略について説明すると、取引装置１で料金を支払う利用者は、取引装置１の前に立ち、前後に長手で水平な姿勢にある用紙Ｈを、この実施形態では第３部分Ｈ３が先頭となるように挿入口７に挿入する（図１の白抜きの矢印を参照）。すると、取引装置１では、この用紙Ｈに印刷された情報Ｊ（図１参照）から請求額が読み取られて表示操作部４に表示される。請求額を現金決済する利用者は、開放された現金出入口１１に現金を投入する。請求額をキャッシュカードで口座決済したい利用者は、自身のキャッシュカードをカード出入口６に挿入した後に、操作キー１０で暗証番号を入力する。
【００３０】
現金決済および口座決済のいずれかが完了すると、取引装置１内では、用紙Ｈにおける各押印欄Ｒ内に領収印Ｓが押され、用紙Ｈが、ミシン目Ｍにおいて切断されて、第１部分Ｈ１および第２部分Ｈ２のまとまりと第３部分Ｈ３とに分離される（図３参照）。第１部分Ｈ１および第２部分Ｈ２のまとまりは、取引装置１内に回収され、第３部分Ｈ３は、返却口８から利用者に返却される。現金決済で釣銭が発生した場合には、釣銭が、現金出入口１１から利用者に返却される。口座決済の場合には、口座の残高等を示したレシートがレシート発行口５から発行される。現金決済および口座決済のそれぞれの場合において、今回の払込取引の内容を示したレシートがレシート発行口５から発行されてもよい。
【００３１】
図５は、取引装置１の内部構造を示す模式図である。図５における左側は、取引装置１の前側であり、図５における右側は、取引装置１の後側であり、図５の紙面に垂直な方向は、取引装置１の左右方向である。なお、説明の便宜上、挿入口７と返却口８との上下の位置関係が図４と図５とで逆になっており、図４で説明した、レシート発行口５、カード出入口６および入力部９等の図示が図５では省略されている。取引装置１の装置本体２内には、レシート印刷部１５と、カード処理部１６と、現金処理部１７と、用紙処理ユニット１８とが設けられている。
【００３２】
レシート印刷部１５は、レシートを印刷するためのプリンタであり、レシート印刷部１５としてレーザプリンタやサーマルプリンタを用いることができる。レシート印刷部１５は、レシートを印刷した後に当該レシートをレシート発行口５に排出する。カード処理部１６は、カード出入口６に挿入されたキャッシュカードから必要な情報を読み取ったり、払込取引の中止や終了に応じてキャッシュカードをカード出入口６から排出したりする。現金処理部１７は、現金出入口１１に投入された現金を計数して収納したり、釣銭を算出したり、釣銭等の返却用の現金を現金出入口１１に投出したりする。
【００３３】
用紙処理ユニット１８に関連して、装置本体２内には、挿入口７に挿入された用紙Ｈを搬送するための搬送路２０が設けられている。搬送路２０は、装置本体２内で搬送される用紙Ｈの軌跡に沿って延びるスペースである。搬送路２０は、挿入口７から後側へ略水平に延びた第１搬送路２１と、第１搬送路２１の後端から湾曲して下側へ延びた後に前側へ湾曲した第２搬送路２２と、第２搬送路２２の下端部の前端から前側へ略水平に延びて返却口８に接続された第３搬送路２３とを含んでいる。搬送路２０は、第３搬送路２３の後端から湾曲して下側へ延びた後に前側へ湾曲した第４搬送路２４と、第３搬送路２３において前端と後端との間の途中位置から分岐して下側へ延びた第５搬送路２５とをさらに含んでいる。第３搬送路２３と第５搬送路２５との接続部分には、用紙Ｈを第３搬送路２３と第５搬送路２５とに振り分けるための分岐爪２６が設けられている。第３搬送路２３と第４搬送路２４との接続部分には、別の分岐爪２６が設けられている。
【００３４】
用紙処理ユニット１８は、取込部３０と、搬送部３１と、検知部３２と、アライメント部３３と、読取部３４と、印字押印部３５と、用紙切断機構３６と、排出手段の一例としての排出部３７と、回収手段の一例としての回収部３８と、取り忘れ領収書回収部３９とを含む。取込部３０、検知部３２、アライメント部３３および読取部３４は、第１搬送路２１において、用紙Ｈの搬送方向の上流側からこの順番で並んで配置されている。印字押印部３５、用紙切断機構３６および排出部３７は、第３搬送路２３において、用紙Ｈの搬送方向の上流側からこの順番で並んで配置されている。回収部３８は、第４搬送路２４において用紙Ｈの搬送方向における下流側の端部に接続されている。取り忘れ領収書回収部３９は、第５搬送路２５において用紙Ｈの搬送方向における下流側の端部に接続されている。なお、以下では、第３搬送路２３において後端部から前側の返却口８へ向かう方向を、「搬送方向Ｘ」といい、第１搬送路２１、第２搬送路２２、第４搬送路２４および第５搬送路２５のそれぞれにおける用紙Ｈの搬送方向とは区別して定義する。
【００３５】
取込部３０は、挿入口７に挿入された用紙Ｈを第１搬送路２１内に取り込むための構成である。取込部３０は、第１搬送路２１において挿入口７に隣接した前端部を上下から挟むように配置された少なくとも一対の取込ローラ４０と、これらの取込ローラ４０を回転させるモータ（図示せず）とを含む。搬送部３１は、搬送路２０内で用紙Ｈを搬送するための構成であり、搬送路２０内で接触するように互いに対向配置された一対の搬送ローラ４１を複数対含む。搬送ローラ４１は、搬送路２０における複数の位置に一対ずつ設けられている。搬送部３１は、これらの搬送ローラ４１を回転させるモータ（図示せず）も含む。以下の説明において、取込ローラ４０および搬送ローラ４１と同様に「ローラ」の記載を名称に含む部品は、取引装置１の左右方向において細長く延びる円柱体である。また、対になった２つのローラは、その間に用紙Ｈを挟持した状態で回転することによって、この用紙Ｈを搬送路２０内で搬送する。なお、回転中の当該２つのローラは、取引装置１の左右方向から見て、互いに反対の方向に回転する。
【００３６】
検知部３２は、たとえば第１搬送路２１内で搬送される用紙Ｈの先端縁や厚さを読み取るセンサ４２を含む。検知部３２は、センサ４２の出力結果によって、用紙Ｈが進行方向に対して傾斜した斜行状態で搬送されているか否かや、用紙Ｈが複数枚重なった重送状態で搬送されているか否かを検知できる。アライメント部３３は、用紙Ｈの姿勢を矯正して斜行状態を解消するための公知の構成を含む。読取部３４は、用紙Ｈのイメージを読み取って用紙Ｈの画像を取得するためのものであり、たとえば、ＣＩＳ（Contact Image Sensor）によって構成されている。印字押印部３５は、用紙Ｈに必要事項を印字するための印字部（図示せず）と、領収印Ｓを用紙Ｈに押すためのスタンプ４５と、スタンプ４５を動かすアクチュエータ（図示せず）とを含む。
【００３７】
用紙切断機構３６は、用紙Ｈをミシン目Ｍで切断するための構成である。用紙切断機構３６は、切断部材の一例としてのカッター５１と、移動手段の一例としてのアクチュエータ５２と、撓ませ手段の一例としての第１ローラ５３および第２ローラ５４と、第１ローラ５３および第２ローラ５４を回転させるモータ（図示せず）と、これらを保持するフレーム５５（後述する図７参照）を含む。
【００３８】
カッター５１は、その刃先５１Ａが第３搬送路２３を横切れるように、第３搬送路２３つまり搬送方向Ｘに対して交差または直交する移動方向Ｙ（図５では上下方向）に移動可能である。図５に示すように待機位置にあるカッター５１は、移動方向Ｙにおける一方側（図５では上側）へ第３搬送路２３から離れた位置にある。アクチュエータ５２は、たとえばモータによって構成されていて、カッター５１を移動方向Ｙに沿って移動させる。移動方向Ｙにおける他方側は、カッター５１が用紙Ｈを切断するために第３搬送路２３に接近する切断方向Ｙ１である。
【００３９】
第１ローラ５３および第２ローラ５４のそれぞれは、搬送方向Ｘに沿って少なくとも一対（図５では二対）ずつ設けられている。各対における２つの第１ローラ５３は、第３搬送路２３内で接触するように互いに対向配置され、各対における２つの第２ローラ５４は、第３搬送路２３内で接触するように互いに対向配置されている。なお、第１ローラ５３および第２ローラ５４のそれぞれは、搬送方向Ｘに対する直交方向（取引装置１の左右方向）から見て重なるように、当該直交方向に並んで複数配置されていてもよい。搬送方向Ｘにおいて、第１ローラ５３は、第２ローラ５４よりも上流側（後側）に位置し、カッター５１は、隣り合う第１ローラ５３と第２ローラ５４との間に位置している。なお、用紙切断機構３６において用紙Ｈを切断する手順については、以降で詳しく説明する。
【００４０】
排出部３７は、用紙切断機構３６で切断された用紙Ｈにおいて利用者に返却すべき第３部分Ｈ３（図３参照）を第３搬送路２３から返却口８に排出するための構成である。排出部３７は、第３搬送路２３において返却口８に隣接した前端部を上下から挟むように配置された少なくとも一対の排出ローラ５７と、これらの排出ローラ５７を回転させるモータ（図示せず）とを含む。回収部３８は、用紙切断機構３６で切断された用紙Ｈにおける第１部分Ｈ１および第２部分Ｈ２（図３参照）を収納するために装置本体２内に確保されたスペースであって、第４搬送路２４の下端部に接続されている。取り忘れ領収書回収部３９は、返却口８に排出されたものの利用者によって取り忘れられた第３部分Ｈ３を回収するために装置本体２内に確保されたスペースであって、第５搬送路２５の下端部に接続されている。
【００４１】
図６は、取引装置１の電気的構成を示すブロック図である。図６を参照して、取引装置１は、調整手段、切替手段、特定手段、制御手段、回収手段および排出手段の一例としての制御部６０を含む。制御部６０は、ＣＰＵやＲＯＭやＲＡＭ等を含んだマイクロコンピュータによって構成されている。制御部６０には、前述した表示操作部４、操作キー１０、レシート印刷部１５、カード処理部１６、現金処理部１７および用紙処理ユニット１８のそれぞれが電気的に接続されている。制御部６０は、表示操作部４での表示内容を制御したり、利用者等による表示操作部４のタッチパネルや操作キー１０の操作を受け付けたりする。制御部６０は、払込取引のために、レシート印刷部１５、カード処理部１６、現金処理部１７および用紙処理ユニット１８のそれぞれに対して、それぞれの処理を実行させる。取引装置１において用紙処理ユニット１８以外の構成は、用紙Ｈに関する取引を利用者との間で行う取引ユニットに含まれる。
【００４２】
取引装置１は、制御部６０に対して電気的に接続される別の部品として、シャッター用アクチュエータ６１と、分岐爪用アクチュエータ６２と、インターフェース（Ｉ／Ｆ）部６３と、記憶部６４とをさらに含む。制御部６０は、シャッター用アクチュエータ６１を動作させることによってシャッター１２を開閉させる。制御部６０は、分岐爪用アクチュエータ６２を動作させることによって分岐爪２６の姿勢を変え、これによって、たとえば、用紙Ｈを第３搬送路２３と第５搬送路２５とに振り分ける。Ｉ／Ｆ部６３は、図示しないＬＡＮ（Local Area Network）に接続されていて、制御部６０は、Ｉ／Ｆ部６３を介して外部装置と通信することができる。
【００４３】
記憶部６４には、取引装置１での取り扱い対象となる用紙Ｈの種類が予め記憶されている。また、記憶部６４には、用紙Ｈの画像やサイズ、用紙Ｈについて払込取引で処理する内容、払込取引の際に印字押印部３５によって印字する内容、押印欄Ｒの位置、ミシン目Ｍの有無、および、用紙Ｈにおける切断位置（ここでは境界線Ｌ１およびＬ２の位置）といった色々な情報が用紙Ｈの種類毎に予め記憶されている。制御部６０は、払込取引の開始に先立って、今回の払込取引の対象として切断される用紙Ｈの種類を特定することができる。具合的には、支払われる料金の種類や用紙Ｈの種類についての利用者による表示操作部４での選択や、挿入口７に挿入された用紙Ｈについて読取部３４が読み取った画像から、制御部６０は、当該用紙Ｈの種類を特定する。なお、取り扱い対象でない用紙Ｈが選択されたり挿入口７に挿入されたりした場合や、用紙Ｈが誤った向き（たとえば裏向き）に挿入された場合には、制御部６０は、この用紙Ｈをそのまま返却口８に返却し、その際、窓口での係員による処理を利用者に促す表示を表示操作部４に表示してもよい。
【００４４】
払込取引の際に用紙処理ユニット１８において行われる処理の内容を、図５を参照して簡単に説明する。まず、前述したように利用者が用紙Ｈを挿入口７に挿入して、この用紙Ｈの先端部（図５では後端部）が一対の取込ローラ４０の間に挟まると、制御部６０は、取込部３０のモータ（図示せず）を駆動させて一対の取込ローラ４０を回転させる。これにより、用紙Ｈは、第１搬送路２１内に取り込まれる。用紙Ｈの取込に連動して、制御部６０は、搬送部３１のモータ（図示せず）を駆動させて第１搬送路２１における搬送ローラ４１を回転させる。これにより、用紙Ｈは、第１搬送路２１内において後側へ搬送される。その際、制御部６０は、必要に応じてアライメント部３３によって用紙Ｈの姿勢を矯正し、その後、読取部３４によって用紙Ｈの画像（前述した情報Ｊも含む）を読み取る。読み取りの際、制御部６０は、搬送ローラ４１の回転を停止して、用紙Ｈを静止状態にしてもよい。読み取った結果に基づいて、制御部６０は、前述したように用紙Ｈの種類を特定して、当該用紙Ｈにおけるミシン目Ｍの有無や、切断位置および押印欄Ｒの位置を把握する。
【００４５】
次に、前述した決済の完了に応じて、制御部６０は、搬送部３１のモータ（図示せず）を駆動させて第２搬送路２２における搬送ローラ４１を回転させる。これにより、今まで第１搬送路２１にあった用紙Ｈは、第２搬送路２２を通過して第３搬送路２３に受け入れられる。すると、制御部６０は、印字押印部３５によって、用紙Ｈに必要事項を印字したり、用紙Ｈにおける各押印欄Ｒ（図１参照）に領収印Ｓを押圧したりする。このときの用紙Ｈは、領収印Ｓの印影が各押印欄Ｒに収まって、印字された必要事項が用紙Ｈ内の所定欄に収まるように搬送制御される。
【００４６】
次に、制御部６０は、搬送部３１のモータ（図示せず）を駆動させて第３搬送路２３における搬送ローラ４１を回転させ、用紙Ｈを用紙切断機構３６まで移動させる。この際、制御部６０は、用紙切断機構３６のモータ（図示せず）も駆動させて第１ローラ５３および第２ローラ５４も回転させる。このときの搬送ローラ４１、第１ローラ５３および第２ローラ５４は正回転する。正回転とは、用紙Ｈを搬送方向Ｘの下流側へ搬送するための回転である。一方、逆回転とは、用紙Ｈを搬送方向Ｘの上流側へ搬送するための回転である。制御部６０は、このように移動させた用紙Ｈを用紙切断機構３６のカッター５１によってミシン目Ｍにおいて切断する。このとき、用紙Ｈでは、第３部分Ｈ３が、第１部分Ｈ１および第２部分Ｈ２よりも返却口８に近い位置にある。第１部分Ｈ１および第２部分Ｈ２は、各対の第１ローラ５３によって挟持された状態にあり、第３部分Ｈ３は、各対の第２ローラ５４によって挟持された状態にある。
【００４７】
次に、制御部６０は、搬送部３１、用紙切断機構３６および排出部３７のそれぞれのモータ（図示せず）を駆動させる。これにより、第１ローラ５３と、第３搬送路２３において第１ローラ５３よりも後側の搬送ローラ４１とが逆回転し、第２ローラ５４と排出部３７の排出ローラ５７とが正回転する。そのため、カッター５１によって切断された用紙Ｈの一部である第１部分Ｈ１および第２部分Ｈ２は、第３搬送路２３を先ほどとは逆向き、つまり搬送方向Ｘの上流側に搬送された後に、第４搬送路２４を通って回収部３８に回収される。また、当該用紙Ｈにおいて当該一部以外の部分である第３部分Ｈ３は、搬送方向Ｘの下流側へ引き続き搬送されて第２ローラ５４から排出部３７の排出ローラ５７に受け渡された後に、排出ローラ５７によって返却口８に排出され、利用者に返却される。
【００４８】
なお、返却口８に排出された第３部分Ｈ３が所定時間経過しても返却口８から取り除かれない場合には、制御部６０は、第３部分Ｈ３の取り忘れが発生したと判断して、排出ローラ５７を逆回転させる。これにより、返却口８の第３部分Ｈ３は、第３搬送路２３において後側へ搬送される。制御部６０は、排出ローラ５７の逆回転に連動して、分岐爪用アクチュエータ６２を作動させて分岐爪２６を今までの待機姿勢から第５搬送路２５側へ傾けるともに、搬送部３１のモータ（図示せず）を駆動させて第５搬送路２５における搬送ローラ４１を回転させる。これにより、第３部分Ｈ３は、第３搬送路２３から第５搬送路２５に受け渡された後に、取り忘れ領収書回収部３９に回収される。制御部６０は、第３部分Ｈ３の回収に応じて、分岐爪２６を待機姿勢に戻す。
【００４９】
次に、図７の模式図を参照して、用紙切断機構３６について詳しく説明する。図７における用紙切断機構３６の姿勢は、図５での姿勢と同じである。そのため、図７において右側から左側へ向かう方向は、搬送方向Ｘの下流側である。用紙切断機構３６は、検知手段の一例としてのセンサ６５をさらに含む。センサ６５は、待機位置のカッター５１との間で第３搬送路２３を移動方向Ｙから挟むように、第３搬送路２３に対するカッター５１の反対側（図７では下側）に配置されている。センサ６５は、第１ローラ５３側に配置された第１センサ６５Ａと、第２ローラ５４側に配置された第２センサ６５Ｂとを含む。第１センサ６５Ａと第２センサ６５Ｂとは同じ構成を有する遮光センサであり、具体的には、レバー状の被検知部６６と、検知部６７とを含む。
【００５０】
被検知部６６は、第１ローラ５３および第２ローラ５４と平行に延びる支持軸６８によってフレーム５５に連結されていて、支持軸６８を中心に回動可能である。第１センサ６５Ａの被検知部６６と第２センサ６５Ｂの被検知部６６とは、バネ等の付勢部材（図示せず）によって互いに接近するように常に付勢されている。図７におけるそれぞれの被検知部６６は、待機位置にあって、相手の被検知部６６に目一杯接近した状態にある。被検知部６６は、相手の被検知部６６へ向けて突出した第１突出部６６Ａと、支持軸６８から離れる方向（図７では下側）へ突出した第２突出部６６Ｂとを一体的に含む。第１突出部６６Ａでは、先端部６６Ｃが、第３搬送路２３側へ折り曲げられていて、第３搬送路２３へ向かって細くなるように略三角形状に形成されている。それぞれの被検知部６６が待機位置にあるときには、互いの被検知部６６の先端部６６Ｃの間のスペースＱは、待機位置のカッター５１の刃先５１Ａに対して第３搬送路２３を挟んで対向した状態にある。
【００５１】
検知部６７は、支持軸６８の延びる方向に沿って対向配置された発光素子６７Ａおよび受光素子６７Ｂを含む。被検知部６６が待機位置にある状態では、第２突出部６６Ｂが発光素子６７Ａと受光素子６７Ｂとの間から外れているので、発光素子６７Ａから発光された検知光が受光素子６７Ｂによって受光されている。第１突出部６６Ａの先端部６６Ｃに外力が作用することによって、被検知部６６が相手の被検知部６６から離れるように回動すると、第２突出部６６Ｂが発光素子６７Ａと受光素子６７Ｂとの間に入り込み、検知光が第２突出部６６Ｂによって遮断される。第１センサ６５Ａおよび第２センサ６５Ｂのそれぞれは、自身の検知部６７における検知光が遮断されていない場合に、自身の被検知部６６が待機位置にあることを検知し、自身の検知部６７における検知光が遮断されている場合に、自身の被検知部６６が待機位置にないことを検知する。
【００５２】
カッター５１の刃渡り方向Ｚは、取引装置１の左右方向（図７の紙面に直交する方向）に延びていて、カッター５１の刃先５１Ａの断面は、第３搬送路２３側（つまり切断方向Ｙ１）へ円弧状に膨出するように丸まっていて鈍い。なお、このようなカッター５１では、たとえば少なくとも刃先５１Ａを樹脂製にすることが想定される。搬送方向Ｘから見たときのカッター５１を示す図８を参照して、刃先５１Ａは、刃渡り方向Ｚに沿って移動方向Ｙにおける刃先５１Ａの位置が変わるように、傾いている。そのため、刃先５１Ａは、刃渡り方向Ｚにおける一方側から他方側に向かうにつれて第３搬送路２３から徐々に離れている。このようなカッター５１の刃先５１Ａで用紙Ｈを切断する場合には、用紙Ｈでは、カッター５１の刃渡り方向Ｚにおけるいずれかの位置を始点として切断が開始される。これにより、用紙Ｈを、破くことなく、ミシン目Ｍにおいて正確に切断できる。なお、刃先５１Ａは、搬送方向Ｘから見て第３搬送路２３へ突出した山型に形成されていてもよいし、傾いた部分を少なくとも一部に有していればよい。
【００５３】
図９を参照して、用紙切断機構３６において用紙Ｈをミシン目Ｍで切断する動作を説明する。図９では、第１ローラ５３および第２ローラ５４の回転方向が、１点鎖線の矢印で示されている。
【００５４】
まず、制御部６０は、第３搬送路２３内の用紙Ｈが、図９（ａ）に示すように、隣り合う第１ローラ５３の対と第２ローラ５４の対との両方によって挟持された状態になるまで第１ローラ５３、第２ローラ５４および搬送ローラ４１（図示せず）を正回転させる。そして、用紙Ｈにおいてミシン目Ｍを含む領域Ｈ４が、搬送方向Ｘにおいてカッター５１の刃先５１Ａと同じ位置に来ると、制御部６０は、第１ローラ５３、第２ローラ５４および搬送ローラ４１の回転を停止させる。
【００５５】
次いで、制御部６０は、図９（ｂ）に示すように、第１ローラ５３を正方向に回転させるとともに、第２ローラ５４を逆回転させる。すると、用紙Ｈでは、弱い箇所であるミシン目Ｍの両側からミシン目Ｍに向かう外力が作用するので、用紙Ｈにおいてミシン目Ｍを含む領域Ｈ４は、破線で示すようにミシン目Ｍへ向けて移動しようとする。これにより、領域Ｈ４は、ミシン目Ｍにおいて折れ曲がり、ミシン目Ｍがカッター５１の刃先５１Ａから切断方向Ｙ１へ離れるようにＶ字形状に撓む。Ｖ字形状に撓んだ領域Ｈ４では、ミシン目ＭがＶ字形状の先端となるように尖っている。このように領域Ｈ４が撓んだ状態で、制御部６０は、第１ローラ５３および第２ローラ５４の回転を停止させる。なお、少なくとも領域Ｈ４を撓ませるタイミングでは、領域Ｈ４が円滑に撓めるように、用紙Ｈは、第１ローラ５３および第２ローラ５４だけによって挟持されている。
【００５６】
次いで、制御部６０は、アクチュエータ５２を駆動させる。これによって、待機位置のカッター５１が用紙Ｈの領域Ｈ４へ向けて切断方向Ｙ１へ移動する。この際、図９（ｃ）において１点鎖線で示すようにカッター５１の刃先５１Ａは、搬送方向Ｘにおいてミシン目Ｍからずれた位置にあっても、刃先５１Ａは、Ｖ字形状に撓んだ領域Ｈ４の斜面を滑ることによってミシン目Ｍへ向けてガイドされるので、実線で示すようにミシン目Ｍに到達する。なお、このように刃先５１Ａが滑れるように、カッター５１の全体が、ある程度の遊びを持ってフレーム５５に支持されていることが好ましい。そして、刃先５１Ａは、さらに切断方向Ｙ１へ移動することによって、図９（ｄ）に示すようにミシン目Ｍを押し切る。これにより、用紙Ｈをミシン目Ｍにおいて正確に切断できる。
【００５７】
前述したように、刃先５１Ａとミシン目Ｍとが搬送方向Ｘにおいて若干ずれていても、刃先５１Ａは、Ｖ字形状に撓んだ領域Ｈ４の斜面に導かれることによってミシン目Ｍに到達できる。しかし、前述した斜行状態が解消されなかった場合や、用紙Ｈの停止位置が大きくずれた場合には、図１０において実線で示した用紙Ｈのように、撓んだ領域Ｈ４がいずれかのセンサ６５の被検知部６６の第１突出部６６Ａに接触する位に、ミシン目Ｍの位置がずれることがある。この場合には、刃先５１Ａは、いびつなＶ字形状に撓んだ領域Ｈ４の斜面をうまく滑れないので、ミシン目Ｍに到達できない虞がある。刃先５１Ａがミシン目Ｍに到達できないと、用紙Ｈは、ミシン目Ｍで切断されないだけでなく、ミシン目Ｍからずれた位置に刃先５１Ａによって折り目を付けられてしまい、この折り目が第３搬送路２３におけて用紙Ｈを詰まらせる虞がある。また、用紙Ｈが、ミシン目Ｍからずれた位置で破れてしまう虞もある。
【００５８】
領域Ｈ４がいずれかのセンサ６５の被検知部６６の第１突出部６６Ａの先端部６６Ｃに接触すると、この被検知部６６（図１０では第２センサ６５Ｂの被検知部６６）は、２点鎖線の待機位置から、実線で示す位置まで回動して、検知部６７の検知光を遮断する。これにより、センサ６５は、被検知部６６が待機位置にないことを検知することによって、領域Ｈ４が当該被検知部６６側へ偏るように撓んでいることを検知する。つまり、センサ６５は、領域Ｈ４の撓み具合、換言すれば搬送方向Ｘにおけるミシン目Ｍのずれを検知する。
【００５９】
この場合、制御部６０は、用紙Ｈを切断するためのカッター５１の移動に先立って、センサ６５による検知結果に基づいて領域Ｈ４の撓み具合を調整する。具体的には、図１０のように第２センサ６５Ｂの被検知部６６が待機位置にない場合には、点線で示すようにミシン目Ｍおよび領域Ｈ４の全体が第１ローラ５３側にずれるように少なくとも第２ローラ５４を逆回転させる。これにより、待機位置になかった被検知部６６が待機位置に戻れば、領域Ｈ４の撓み具合の調整は完了する。なお、調整中のタイミングでは、用紙Ｈは、第１ローラ５３および第２ローラ５４だけによって挟持されている。
【００６０】
調整後のミシン目Ｍは、互いの被検知部６６の先端部６６Ｃの間のスペースＱにおいて搬送方向Ｘの略中央に位置していて、領域Ｈ４は、カッター５１の刃先５１Ａをミシン目Ｍへ向けてガイドできるような最適なＶ字形状で撓んでいる（点線部分参照）。そのため、カッター５１の刃先５１Ａは、領域Ｈ４の斜面によってミシン目Ｍへ向けて確実にガイドされるので、用紙Ｈをミシン目Ｍにおいて正確に切断できる。
【００６１】
図１１を参照して、用紙切断機構３６において、カッター５１は、１つだけで存在するのではなく、第１切断部材の一例としての第１カッター７１と、第２切断部材の一例としての第２カッター７２とを含んでもよい。第１カッター７１は、前述したカッター５１と同じ構成であって、丸まった鈍い刃先７１Ａを有している。第２カッター７２の刃先７２Ａは、尖っており、第１カッター７１の刃先７１Ａよりも鋭い。第１カッター７１として、少なくとも刃先７１Ａが樹脂製のものを用いてもよいし、第２カッター７２として、少なくとも刃先７２Ａが金属製のものを用いてもよい。また、これらのカッターは、これまで説明したギロチンカッターでなく、回転可能なロータリーカッターであってもよい。
【００６２】
カッター５１を移動させるアクチュエータ５２は、第１カッター７１および第２カッター７２のそれぞれに対応して設けられてもよいし、１つだけ設けられて、第１カッター７１および第２カッター７２のそれぞれを選択的に移動させてもよい。また、図１１の変形例に係る用紙切断機構３６は、一例として、一対の第１ローラ５３と一対の第２ローラ５４の他に、第２ローラ５４よりも搬送方向Ｘの下流側に配置された一対の第３ローラ５６も含む。第１カッター７１は、搬送方向Ｘにおいて第２カッター７２よりも上流側で、第１ローラ５３と第２ローラ５４との間に配置されている。第２カッター７２は、第２ローラ５４と第３ローラ５６との間に配置されている。
【００６３】
制御部６０は、アクチュエータ５２を制御することによって、用紙Ｈを切断するためのカッター５１を第１カッター７１と第２カッター７２とに切り替える。種類が特定された用紙Ｈが、ミシン目Ｍが形成された用紙Ｈである場合には、制御部６０は、前述したように、当該用紙Ｈにおいてミシン目Ｍを含む領域Ｈ４が搬送方向Ｘにおいて第１カッター７１と同じ位置に来たときに、第１ローラ５３および第２ローラ５４によって領域Ｈ４を移動方向ＹへＶ字形状に撓ませる。そして、領域Ｈ４がＶ字形状に撓んだ状態で、制御部６０は、アクチュエータ５２を作動させて第１カッター７１を領域Ｈ４へ向けて移動させる（図９参照）。これによって、用紙Ｈがミシン目Ｍにおいて切断される。
【００６４】
しかし、第１カッター７１では用紙Ｈを切断できない場合があり、このことは、センサ（図示せず）によって検知される。具体的には、用紙切断機構３６では、第１カッター７１の移動後に、第１部分Ｈ１および第２部分Ｈ２を回収部３８に搬送して第３部分Ｈ３を返却口８へ搬送するために、モータ（図示せず）が、第１ローラ５３を逆回転させて第２ローラ５４を正回転させようとする。そのときにモータが所定以上の負荷を受けた場合には、用紙Ｈが切断されていないことが検知される。また、種類が特定された用紙Ｈが、ミシン目Ｍの存在しない用紙Ｈである場合や、ミシン目Ｍが存在する用紙Ｈであってもミシン目Ｍ以外の切断位置で切断する場合がある。これらの場合、制御部６０は、当該用紙Ｈの切断位置が搬送方向Ｘにおいて第２カッター７２と同じ位置に来たときに、第２カッター７２を、水平姿勢（撓んでない姿勢）のままの用紙Ｈへ向けて移動させる。これにより、用紙Ｈは、当該切断位置において切断される。このようにカッター５１を第１カッター７１と第２カッター７２とに切り替える構成であれば、第１カッター７１では切断できない用紙Ｈであっても、刃先７２Ａが鋭い第２カッター７２によって確実に切断することができる。なお、第２カッター７２が下降してくる位置に受け部材（図示せず）を配置して、第２カッター７２の刃先７２Ａと受け部材とによって用紙Ｈを挟んで切断する構成を用いてもよい。
【００６５】
第１カッター７１および第２カッター７２は、搬送方向Ｘにおいて離れて配置されるのでなく、互いに連結されてもよい。具体的には、図１２に示すように、第１カッター７１には、第２カッター７２を収容できる内部空間７１Ｂが形成されていて、内部空間７１Ｂは、刃先７１Ａに形成された開口７１Ｃから露出されている。第２カッター７２は、刃先７２Ａが第３搬送路２３を向く姿勢で開口７１Ｃから内部空間７１Ｂに収容されることによって、第１カッター７１に仕込まれている。
【００６６】
ミシン目Ｍが形成された用紙Ｈの場合には、図１３（ａ）に示すように、制御部６０は、用紙Ｈを撓ませた状態でアクチュエータ５２を作動させることにより、第２カッター７２が内部空間７１Ｂに収容された状態の第１カッター７１を切断方向Ｙ１へ移動させて当該用紙Ｈを切断する。一方、第１カッター７１では切断できない用紙Ｈの場合には、制御部６０は、図１３（ｂ）に示すように、用紙Ｈを水平姿勢に維持した状態でアクチュエータ５２を作動させることより、第２カッター７２の刃先７２Ａを第１カッター７１の開口７１Ｃから突出させることによって、用紙Ｈを切断するためのカッター５１を第１カッター７１から第２カッター７２に切り替える。たとえば、第１カッター７１の刃先７１Ａを用紙Ｈに更に押し付けることによって、カッター５１が第１カッター７１から第２カッター７２に切り替わる。制御部６０は、切り替わった第２カッター７２を移動させて用紙Ｈを所定の切断位置で切断する。
【００６７】
この発明は、以上の実施形態の内容に限定されるものではなく、請求項に記載の範囲内において種々の変更が可能である。
【００６８】
たとえば、用紙Ｈの厚さに応じて、切断際におけるカッター５１の移動速度を調整できてもよい。種類毎における用紙Ｈの厚さは、記憶部６４に予め記憶されていてもよいし、マイクロ変位センサや超音波センサや光学センサによって構成された測定手段によって、切断前に測定され、その測定結果が制御部６０に入力されてもよい。マイクロ変位センサは、用紙Ｈに接触して移動するレバーの移動量を測定することによって用紙Ｈの厚さを測定する。超音波センサは、超音波を発生する発生素子と、この超音波を受信する受信素子とを含み、用紙Ｈを透過して受信素子に受信される超音波の量から用紙Ｈの厚さを測定する。光学センサは、発光素子と受光素子とを含み、用紙を透過して受光素子に受光される検知光の量から用紙Ｈの厚さを測定する。
【００６９】
制御部６０は、相対的に厚い用紙Ｈの場合には、アクチュエータ５２を構成するモータのトルクが小さくても確実に切断できるように、カッター５１の移動速度を早くする。一方、制御部６０は、相対的に薄い用紙Ｈの場合には、用紙Ｈを切断位置以外で破かないように、カッター５１の移動速度を遅くする。このように、用紙Ｈの厚さに応じてカッター５１の移動速度を最適値に設定することによって、正常に切断できる用紙Ｈの厚さの範囲を広げることができる。
【００７０】
また、超音波センサを用いる場合には、用紙Ｈにおいて、ミシン目Ｍを透過した超音波の量は、それ以外の部分を透過した超音波の量よりも多いので、超音波の量の違いによってミシン目Ｍを検知できる。そのため、超音波センサを用いて用紙Ｈにおけるミシン目Ｍの位置を検知し、その後、ミシン目Ｍにおいて用紙Ｈを切断してもよい。
【００７１】
また、搬送方向Ｘ（ここでは長手方向ＬＤ）における用紙Ｈの長さに応じて、切断のために用紙Ｈの領域Ｌ４を撓ませる量を調整できてもよい。種類毎における用紙Ｈの長さは、記憶部６４に予め記憶されている。相対的に長い用紙Ｈでは、搬送誤差、換言すれば用紙切断機構３６での停止時におけるミシン目Ｍの位置についての誤差が大きいので、切断時には、搬送誤差を吸収するために領域Ｌ４を大きく撓ませる必要がある。逆に、相対的に短い用紙Ｈでは、搬送誤差が小さいので、切断時に領域Ｌ４を大きく撓ませる必要がないし、逆に領域Ｌ４を大きく撓ませると用紙Ｈにおいて第３部分Ｌ３等の切断片が第１ローラ５３および第２ローラ５４から外れてしまう虞がある。
【００７２】
そこで、制御部６０は、相対的に長い用紙Ｈを切断する場合には、第１ローラ５３の正回転での回転量と第２ローラ５４の逆回転での回転量とを増やすことによって、図１４（ａ）に示すように、当該用紙Ｈの領域Ｌ４を切断方向Ｙ１へ相対的に大きく撓ませる。一方、制御部６０は、相対的に短い用紙Ｈを切断する場合には、第１ローラ５３および第２ローラ５４の回転量を少なく抑えることによって、図１４（ｂ）に示すように、切断方向Ｙ１への領域Ｌ４の撓み量を小さくする。なお、このことは、用紙Ｈの全体の長さの大小だけでなく、搬送方向Ｘにおける用紙Ｈにおいて端縁からミシン目Ｍまでの寸法Ｐ（図１参照）の大小に応じても適用できる。そのため、寸法Ｐが大きいときには領域Ｌ４を大きく撓ませて、寸法Ｐが小さいときには領域Ｌ４を小さく撓ませればよい。
【００７３】
また、カッター５１を用紙Ｈへ向けて一度移動させただけでは用紙Ｈが切断できなかった場合には、カッター５１を一旦待機位置に戻してからカッター５１を用紙Ｈへ向けて再度移動させる動作を、用紙Ｈが切断されるまで繰り返してもよい。
【００７４】
また、用紙Ｈの切断に先立って、第１ローラ５３および第２ローラ５４の正回転および逆回転を繰り返すことによって、当該用紙Ｈの領域Ｌ４を撓ませたり元に戻したりする動作を繰り返せば、領域Ｌ４がミシン目Ｍにおいてしっかり折られたＶ字形状になる。これにより、用紙Ｈをミシン目Ｍにおいて切断しやすくなる。
【００７５】
また、用紙Ｈについての斜行状態に関し、前述したようにアライメント部３３において斜行状態を解消してもよいが、斜行状態を解消するための構成を用紙切断機構３６に設けてもよい。その場合、たとえば、第１ローラ５３および第２ローラ５４のそれぞれを、これらの長手方向において２分割し、第１ローラ５３および第２ローラ５４のそれぞれにおいて、一方の分割ローラと、他方の分割ローラとを独立して回転できるようにする。そして、斜行状態の用紙Ｈを切断するのに先立って、当該一方の分割ローラと、当該他方の分割ローラとを互いに逆の方向に回転させると、斜行状態が解消される。これにより、用紙Ｈを切断するのに先立って、ミシン目Ｍの位置を修正できる。
【００７６】
また、用紙切断機構３６では、斜行状態の用紙Ｈのミシン目Ｍの延びる方向と、カッター５１の刃渡り方向Ｚとが一致するように、斜行状態にあわせてカッター５１の姿勢を変更できてもよい。この場合には、斜行状態を解消するための構成を省略できる。
【００７７】
また、用紙切断機構３６には、用紙Ｈのミシン目Ｍに液体を塗布することによってミシン目Ｍの強度を低下させる強度低下手段が設けられてもよい。強度低下手段は、たとえば水を含んだ筆によって構成される。たとえば、用紙切断機構３６においてミシン目Ｍが第１ローラ５３と第２ローラ５４との間にきたときに、制御部６０は、先ほどの筆によって、用紙Ｈのミシン目Ｍを濡らす。具体的には、筆の筆先によってミシン目Ｍをなぞる。この際、筆先がミシン目Ｍからずれないように、前述したように、用紙Ｈにおいてミシン目Ｍを含む領域Ｈ４をＶ字形状に撓ませてもよい。その後、第１ローラ５３と第２ローラ５４とを互いに逆の方向に回転させると、用紙Ｈは、搬送方向Ｘにおけるミシン目Ｍの両側へ引っ張られ、ミシン目Ｍにおいて分離される。この場合には、カッター５１を用いなくても、用紙Ｈをミシン目Ｍにおいて分離できる。
【００７８】
また、用紙Ｈの切断に先立って、用紙Ｈの領域Ｈ４がカッター５１の刃先５１Ａから離れる切断方向Ｙ１へＶ字形状に撓むように用紙Ｈを癖付けるための癖付け部材を設けてもよい。このような癖付け部材として、図１５（ａ）に示す押さえ部材７５が挙げられる。押さえ部材７５は、たとえば、搬送方向Ｘに厚さ方向を有する板状である。押さえ部材７５は、切断前の用紙Ｈに対して、搬送方向Ｘにおける下流側に配置されていて、押さえ部材７５において切断方向Ｙ１における下流側の端部７５Ａは、切断方向Ｙ１へ向けて搬送路２０内にはみ出ている。切断前の用紙Ｈが搬送されると、押さえ部材７５の端部７５Ａに接触することによって、用紙Ｈでは、先頭側から順に全体が切断方向Ｙ１へ撓む。
【００７９】
図１５（ｂ）に示すように、用紙Ｈでは、端部７５Ａを通過した部分は、撓む前の状態に戻るが、ミシン目Ｍが設けられた領域Ｈ４は、端部７５Ａに一度接触すると、切断方向Ｙ１へある程度撓んだ状態で、そのまま搬送される。そのため、この用紙Ｈを切断するときには、用紙Ｈの領域Ｈ４が切断方向Ｙ１へＶ字形状に撓んでいるので、前述したように用紙Ｈをミシン目Ｍで正確に切断できる。
【００８０】
また、用紙Ｈでは、領域Ｈ４以外の部分は、端部７５Ａに接触するとＵ字形状に撓むのだが、領域Ｈ４は、端部７５Ａに接触するとＶ字形状に撓むので、撓んだ部分の形状の違いで、ミシン目Ｍの位置を検知できる。もちろん、押さえ部材７５は、搬送方向Ｘにおける用紙Ｈの全体に接触するのではなく、切断の直前に、カッター５１よりも先に用紙Ｈの領域Ｈ４に接触して、領域Ｈ４を刃先５１Ａ側へ浮き上がらないように切断方向Ｙ１へ押さえつけてもよい。この場合、押さえ部材７５が領域Ｈ４を押さえつけた状態で、カッター５１が切断方向Ｙ１へ遅れて移動し、領域Ｈ４をミシン目Ｍにおいて切断する。もちろん、カッター５１自体が押さえ部材７５として機能してもよく、刃先５１Ａがミシン目Ｍに到達するまでの段階では、カッター５１が領域Ｈ４を押さえつけてもよい。
【００８１】
また、用紙処理ユニット１８の動作を制御する制御部６０を、用紙処理ユニット１８の一部とみなしてもよいし、用紙切断機構３６の一部とみなしてもよい。また、第１ローラ５３や第２ローラ５４等の前述したローラは、ローラでなく、用紙Ｈを搬送できるエンドレスベルトであってもよい。また、用紙Ｈを切断する際に、用紙Ｈにおいて撓んだ領域Ｈ４にカッター５１の刃先５１Ａが接近するように領域Ｈ４へ向けてカッター５１を相対的に移動させればよい。そのため、前述したように静止状態の領域Ｈ４に対してカッター５１だけを移動させる代わりに、静止状態のカッター５１の刃先５１Ａへ向けて用紙Ｈを移動させて領域Ｈ４を刃先５１Ａに押し付けてもよい。
【００８２】
また、取引装置１に用いられた用紙処理ユニット１８は、金融機関やコンビニエンスストア等に設置されるＡＴＭ等の自動取引装置だけでなく、遊園地や映画館の入場ゲート装置に搭載してもよい。図１６には、用紙処理ユニット１８が搭載された入場ゲート装置１’が模式的に図示されている。図１６では、入場ゲート装置１’において、前述した取引装置１の部品と同じ機能を有する部分には、同一の符号を付して説明を省略することがある。
【００８３】
図１６の入場ゲート装置１’で取り扱われる用紙Ｈは、入場チケットであり、その長手方向ＬＤにおける途中に設けられたミシン目Ｍによって、利用者に対して返却される半券Ａと、入場ゲート装置１’に回収される半券Ｂとに分離可能である。入場ゲート装置１’では、装置本体２の上面に、前述した挿入口７と返却口８とが離れて設けられ、装置本体２内には、挿入口７と返却口８とをむすぶ搬送路２０と、前述した用紙処理ユニット１８、制御部６０および記憶部６４とが設けられている。用紙処理ユニット１８は、前述した取込部３０、用紙切断機構３６、排出部３７および回収部３８と、識別部８０と振分け部８１とを含む。
【００８４】
識別部８０は、用紙Ｈの種類や正否や表裏等を識別したり、用紙Ｈにおけるミシン目Ｍの位置を特定したりするためのセンサである。用紙Ｈが入場チケットである場合には、識別部８０は、入場チケットが、大人向けおよび子供向けのいずれであるかや、前売り券および当日券のいずれであるかを識別してもよい。制御部６０は、識別部８０による識別件数に応じて入場者数を集計してもよい。入場ゲート装置１’が、カメラと接続されている場合には、制御部６０は、カメラが撮影した利用者の画像から利用者が大人および子供のいずれであるかを判別して、この利用者の入場チケットが大人向けおよび子供向けのいずれであるかについての識別部８０による識別結果と照合してもよい。
【００８５】
振分け部８１に関連し、装置本体２内には、搬送路２０から分岐して回収部３８に接続される分岐路８２が設けられている。振分け部８１は、前述した分岐爪２６に相当し、用紙Ｈの搬送方向を搬送路２０と分岐路８２とに切り替える。搬送路２０において挿入口７から返却口８への搬送方向Ｘにおいて、取込部３０、識別部８０、用紙切断機構３６、振分け部８１および排出部３７は、この順番で搬送路２０に沿って配置されている。
【００８６】
取引装置１は、制御部６０に対して電気的に接続される部品として、報知部８３と、通過規制部８４とをさらに含む。報知部８３は、ブザーやランプである。通過規制部８４は、取引装置１の傍らに設けられた利用者用の入場通路に対して進退するゲート部材（図示せず）と、当該ゲート部材を進退させるアクチュエータ（図示せず）とを含む。
【００８７】
このような入場ゲート装置１’の運用方法として、用紙Ｈを入手した利用者は、この用紙Ｈを挿入口７に挿入する。すると、用紙Ｈは、取込部３０によって搬送路２０内に取り込まれ、識別部８０によって識別を受けた後に、用紙切断機構３６によって、前述した手順でミシン目Ｍで切断されて半券Ａと半券Ｂとに分離される。半券Ａは、振分け部８１によって排出部３７へ振り分けられた後に、排出部３７によって返却口８から排出されて利用者に返却される。半券Ｂは、振分け部８１によって分岐路８２へ振り分けられた後に、回収部３８に回収される。
【００８８】
なお、挿入口７に挿入された用紙Ｈが正規の入場チケットでないと識別部８０によって識別された場合には、制御部６０は、この用紙Ｈの所有者を入場不可と判断して、通過規制部８４のゲート部材を入場通路に対して進出させて、この所有者の入場を阻止するとともに、報知部８３を作動させて係員に報知する。この場合、用紙Ｈは、切断されることなく装置本体２内で一時保留される。
【符号の説明】
【００８９】
１      取引装置
１’    入場ゲート装置
１８    用紙処理ユニット
３６    用紙切断機構
３７    排出部
３８    回収部
５１    カッター
５１Ａ  刃先
５２    アクチュエータ
５３    第１ローラ
５４    第２ローラ
６０    制御部
６５    センサ
７１    第１カッター
７２    第２カッター
７２Ａ  刃先
Ｈ      用紙
Ｈ１    第１部分
Ｈ２    第２部分
Ｈ３    第３部分
Ｈ４    （ミシン目を含む）領域
Ｍ      ミシン目
Ｚ      刃渡り方向
【図１】
0006677874.tif 000002
【図２】
0006677874.tif 000003
【図３】
0006677874.tif 000004
【図４】
0006677874.tif 000005
【図５】
0006677874.tif 000006
【図６】
0006677874.tif 000007
【図７】
0006677874.tif 000008
【図８】
0006677874.tif 000009
【図９】
0006677874.tif 000010
【図１０】
0006677874.tif 000011
【図１１】
0006677874.tif 000012
【図１２】
0006677874.tif 000013
【図１３】
0006677874.tif 000014
【図１４】
0006677874.tif 000015
【図１５】
0006677874.tif 000016
【図１６】
0006677874.tif 000017